(57)【要約】      （修正有）【課題】外部より取得した画像又は動画像を電子データの形で提供すると共に、プリント装置外からでも当該電子データを取得することができる手段の提供。【解決手段】画像又は動画像データを取得可能な画像データ取得手段と、前記画像データ取得手段が取得した前記画像又は動画像データ或いは当該データを加工して得られたデータに対し、二次元コードを付与する二次元コード付与手段と、前記二次元コードを前記ユーザーに提供する二次元コード提供手段と、前記画像又は動画像データ或いは当該データを加工して得られたデータを前記二次元コードと関連付けて記憶するデータ記憶手段と、外部から所定の二次元コードに係るアクセスがあった場合、当該二次元コードに対応した、前記データ記憶手段内に記憶されている前記画像又は動画像データ或いは当該データを加工して得られたデータを外部に供給するデータ供給手段と、を有することを特徴とするプリントシステム。【選択図】  図６
2008042700.tif 000002
【特許請求の範囲】
【請求項１】
ユーザーの画像又は動画像データを取得可能な画像データ取得手段と、
合成用データに係る二次元コードを読み取る二次元コード読取手段と、
前記二次元コード読取手段で読み取った二次元コードに対応した合成用データを取得する合成用データ取得手段と、
前記ユーザーの画像又は動画像データと前記合成用データとを合成する、画像又は動画像合成手段と、
を有することを特徴とするプリントシステム。
【請求項２】
ユーザーの画像又は動画像データを取得可能な画像データ取得手段と、
前記画像データ取得手段が取得した前記ユーザーの画像又は動画像データ或いは当該データを加工して得られたデータに対し、ユニークな二次元コードを付与する二次元コード付与手段と、
前記二次元コードを前記ユーザーに提供する二次元コード提供手段と、
前記ユーザーの画像又は動画像データ或いは当該データを加工して得られたデータを前記二次元コードと関連付けて記憶するデータ記憶手段と、
外部から所定の二次元コードに係るアクセスがあった場合、当該二次元コードに対応した、前記データ記憶手段内に記憶されている前記ユーザーの画像又は動画像データ或いは当該データを加工して得られたデータを外部に供給するデータ供給手段と
を有することを特徴とするプリントシステム。
【請求項３】
前記二次元コードがＱＲコード（登録商標）である、請求項１又は２記載のプリントシステム。
【発明の詳細な説明】
【技術分野】
【０００１】
本発明は、「プリントクラブ」（登録商標）に代表される、デジタルスチルカメラやデジタルビデオカメラ等の画像取得手段によりリアルタイムに取り込まれたユーザーの姿をシールプリント等の形で提供可能なプリントシステムに関する。
【背景技術】
【０００２】
ゲームセンターなどの娯楽施設や観光地などにおいては、「プリントクラブ」（登録商標）に代表される、デジタルスチルカメラ等の画像取得手段によりリアルタイムに取り込まれたユーザーの姿と、装置に記憶されている背景画像との合成画像をシールの形態で印刷出力するプリント装置が設置されている。ここで、本発明者らは、前記従来のプリント装置における背景画像の興趣性の貧困さに鑑み、ユーザーの動画像とは別に、別の対象物のリアルタイムな動画像をもデジタルビデオカメラで同時に取得し、これらを合成する技術を既に提案している（特許文献１）。
【特許文献１】特開２００５−１１９２６５
【発明の開示】
【発明が解決しようとする課題】
【０００３】
しかしながら、当該技術においては、取得できる背景動画像はあくまでデジタルビデオカメラが設置された箇所における画像に留まる。したがって、当該技術は、ユーザーのニーズの多様化には必ずしも対応できていないという問題を抱えている。
【０００４】
更には、これまでのプリント装置は、撮影画像の出力を紙媒体（シールプリント）でのみ行う形態が専らである。しかしながら、例えば、この種のプリントと類似する写真については、紙媒体でのプリントのみならず画像ファイルの形で記録媒体やインターネットを介して電子的にやり取りされる時代になってきていることを踏まえると、今のプリント装置は、現在の電子化に必ずしも対応できているとはいえない状況である。
【０００５】
加えて、プリント装置は、ゲームセンターやデパート等の公共の場に設置されている装置である。したがって、不特定多数の人間がプリント装置にアクセス可能であることを踏まえると、社会に対しての情報供給の場になり得る可能性を秘めている。しかしながら、現在のプリント装置は、基本的にはスタンドアローン型であり、せっかく多くの人間がプリント装置を利用しても、当該装置で取得したデータはその者のみの利用に留まることに加え、データ自体もプリント後に消去されてしまう。
【０００６】
そこで、本発明の第一の目的は、外部に存在する多くの画像又は動画像を取得可能に構成することにより、ユーザーのニーズの多様化に対応できる手段を提供することである。更に、本発明の第二の目的は、取得したユーザーの画像又は動画像等を電子データの形で提供すると共に、プリント装置外からでも当該電子データを取得することができる手段を提供することである。加えて、本発明の第三の目的は、プリント装置を公共の場に設置された端末と位置付けた上で、このプリント装置からのユーザーの画像又は動画像データ等を社会全体で利用可能にする手段を提供することである。
【課題を解決するための手段】
【０００７】
本発明者は鋭意研究をした結果、プリントシステムと二次元コードとを連結すると共に、当該プリントシステムをインターネット上に配することで、前記課題を達成できることを見出し、本発明を完成させたものである。
【０００８】
本発明（１）は、ユーザーの画像又は動画像データを取得可能な画像データ取得手段（ユーザー画像・動画像データ取得手段１０２０）と、合成用データに係る二次元コード（ＱＲコード）を読み取る二次元コード読取手段（ＱＲコード読取手段１０３１）と、前記二次元コード読取手段（ＱＲコード読取手段１０３１）で読み取った二次元コード（ＱＲコード）に対応した合成用データを取得する合成用データ取得手段（外部データ取得手段１０３２）と、前記ユーザーの画像又は動画像データと前記合成用データとを合成する、画像又は動画像合成手段（画像・動画像合成手段１０４０）と、を有することを特徴とするプリントシステムである。ここで、「二次元コード」は、特に限定されず、例えば、ＱＲコード（登録商標）、Ｄａｔａ  Ｍａｔｒｉｘ、ＰＤＦ４１７、ＣＯＤＥ４９、Ｍａｘｉ  Ｃｏｄｅ、Ｃｏｄｅ１、Ａｚｔｅｃ  Ｃｏｄｅ、Ｓｕｐｅｒ  Ｃｏｄｅ、ＲＳＳ等を挙げることができる。
【０００９】
本発明（２）は、ユーザーの画像又は動画像データを取得可能な画像データ取得手段（ユーザー画像・動画像データ取得手段１０２０）と、前記画像データ取得手段（ユーザー画像・動画像データ取得手段１０２０）が取得した前記ユーザーの画像又は動画像データ或いは当該データを加工して得られたデータに対し、ユニークな二次元コード（ＱＲコード）を付与する二次元コード付与手段（ＱＲコード付与手段１０５０）と、前記二次元コード（ＱＲコード）を前記ユーザーに提供する二次元コード提供手段（プリント手段１０７０）と、前記ユーザーの画像又は動画像データ或いは当該データを加工して得られたデータを前記二次元コードと関連付けて記憶するデータ記憶手段（データ記憶手段２０３０）と、外部から所定の二次元コードに係るアクセスがあった場合、当該二次元コードに対応した、前記データ記憶手段（データ記憶手段２０３０）内に記憶されている前記ユーザーの画像又は動画像データ或いは当該データを加工して得られたデータを外部に供給するデータ供給手段（データ供給判定実行手段２０４０）と、を有することを特徴とするプリントシステムである。ここで、「当該データを加工して得られたデータ」とは、例えば、ユーザーの画像又は動画像データと、背景画像又は動画像データとの合成画像を挙げることができる（発明の最良形態参照）。
【００１０】
本発明（３）は、前記二次元コードがＱＲコード（登録商標）である、前記発明（１）又は（２）のプリントシステムである。
【発明の効果】
【００１１】
本発明（１）によれば、合成用データに係る二次元コードを読み取る二次元コード読取手段と、二次元コード読取手段で読み取った二次元コードに対応した合成用データを取得する合成用データ取得手段とを備えるように構成されているので、外部に存在する多くのデータ（例えば、画像又は動画像データ）を取得可能である結果、ユーザーのニーズの多様化に対応できるという効果を奏する。
【００１２】
本発明（２）によれば、ユーザーの画像又は動画像データ等に対して二次元コードを付与すると共に、外部から所定の二次元コードに係るアクセスがあった場合には当該二次元コードに対応したユーザーの画像又は動画像データ等を提供するように構成されているので、取得したユーザーの画像又は動画像等を電子データの形で提供すると共に、プリント装置外からでも当該電子データを取得することができるという効果を奏する。更には、当該プリントシステムからのユーザーの画像又は動画像データ等は、例えばインターネットを介して記憶・提供されるので、当該データが社会全体で利用可能となるという効果も奏する。
【００１３】
本発明（３）によれば、二次元コードとして最も汎用されているＱＲコード（登録商標）を採用しているので、より多くの外部情報取得に対応可能であるという効果を奏する。
【発明を実施するための最良の形態】
【００１４】
以下、本発明の最良形態を説明する。尚、本発明の技術的範囲は、本最良形態に何ら限定されるものではない。まず、図１は、本プリントシステムＳ（プリント装置１０００＋画像・動画像データ管理用サーバ２０００＋インターネットＡ）の構成例を示したものである。本プリント装置１０００及び本データ管理用サーバ２０００は、インターネットＡと接続している。更に、このインターネットＡには、無数の外部サーバ（例えば、Ｘ１、Ｘ２、Ｙ１、Ｙ２）が接続している。
【００１５】
したがって、本プリント装置１０００は、まず、外部（例えばＸ１、Ｘ２）に存在する合成用データ（画像データ、動画像データ、文字データ等）を、インターネットＡを介して取得できる。ここで、Ｘ１は、例えば人気キャラクターの各種コンテンツがあるサイトであり、Ｘ２は、各メディア（例えば、ポスター、雑誌、チラシ、ウエブサイト）のサイトである。いずれも、ＱＲコードを読み込んでアクセスすると、所定のデータを提供するように構成されているサイトである。加えて、本プリント装置１０００は、本装置１０００で生成したユーザーの画像・動画像データ（＋当該データに対してユニークに割り振られたＱＲコードに関するデータ）を、インターネットＡを介して画像・動画像データ管理用サーバ２０００に記憶させることができる。
【００１６】
ここで、図５は、本プリント装置１０００における概要図である。尚、図示しないが、本最良形態に係るプリント装置１０００は、プリクラ（登録商標）同様、ボックス状に構成されている。まず、後述する各手段が備えられた主制御装置（パーソナルコンピュータ）に、所定のお金を投入可能なコイン投入口と、ユーザーの撮影画像や合成画像等が表示されるディスプレーと、ユーザーを撮影するためのユーザー画像・動画像データ取得手段１０２０（デジタルスチルカメラ、デジタルビデオカメラ）と、ユーザーが各種指示を出したり合成画像に書き込む等を可能にするためのタッチパネルと、外部ＱＲコードを読み取るためのＱＲコード読取手段１０３１と、シールプリントをプリントアウトするためのプリント手段１０７０（例えばカラープリンタ）が接続している。更に、主制御装置１０００は、外部サーバとアクセス可能なようにインターネットにも接続している。また、室内には、人の背にクロマキーパネルが存在し、撮影した画像から人画像のみを抽出することを可能にしている。
【００１７】
再び図１に戻ると、画像・動画像データ管理用サーバ２０００は、インターネットＡを介して外部よりアクセスがあった場合、指定されたＱＲコードに対応するユーザーの画像・動画像データを、インターネットＡを介して外部に提供するように構成されている。したがって、例えば、ＱＲコードを取得したユーザー自身又は知人が、外部から携帯電話等を利用して当該サーバ２０００にアクセスすると、アクセス者に対して該当する画像・動画像データを送信する。或いは、ユーザー自身がＱＲコードを所定のサイト（例えば、Ｙ１、Ｙ２）にインターネットを介して送信し、これを受けて、当該サイトが、インターネットＡを介して当該サーバ２０００にアクセスすると、アクセス者である当該サイトに対して該当する画像・動画像データを送信する。ここで、Ｙ１は、女性や男性の人気投票を行うランキングサイトであり、ユーザーからのエントリーリクエスト（ＱＲコード送信がエントリー条件）を受けて、ＱＲコードに対応した当該ユーザーの画像・動画像データを取得し、このデータを専用ホームページ上で表示するサービスを行うサイトである。また、Ｙ２は、放送局のサイトであり、ユーザーからのエントリーリクエスト（ＱＲコード送信がエントリー条件）を受けて、ＱＲコードに対応した当該ユーザーの画像・動画像データを取得し、このデータを当該放送局が提供する番組内で放送するサービスを行うサイトである。
【００１８】
次に、図２の機能ブロック図を参照しながら、本最良形態に係るプリントシステムＳの各種構成要素を説明する。まず、前述のように、本プリントシステムＳは、プリント装置１０００とデータ管理用サーバ２０００（＋インターネットＡ）とから構成される。ここで、データ管理用サーバ２０００は、プリント装置１０００と物理的に一体化していても、プリント装置１０００の内外に取り付けられていても、或いは、プリント装置１０００と離隔した場所に設置されていてもよい。但し、いずれの場合でも、プリント装置１０００及びデータ管理用サーバ２０００は、外部とのデータのやり取りが直接的又は間接的に可能なように、インターネットＡと何らかの形（有線、無線）で接続している必要がある。
【００１９】
そこで、まず、プリント装置１０００から説明すると、プリント装置１０００は、プリント装置１０００における各種操作の発動条件（例えば、所定額のお金を投入したか否か、スタートボタンを押したか否か、取得した画像のうちどの画像をプリントアウトするかの決定がなされたか否かの判定等）を充足しているかの判定を行うユーザー操作判定手段１０１０と、デジタルスチルカメラやデジタルビデオカメラ等の、ユーザーの画像や動画像データを取得するためのユーザー画像・動画像データ取得手段１０２０と、インターネットＡを介して、ＱＲコードに対応した合成用データを外部から取得するための合成用データ取得手段１０３０と、ユーザー画像・動画像データと合成用データとを合成する画像・動画像合成手段１０４０と、合成した画像・動画像データに対してユニークなＱＲコードを割り振るためのＱＲコード付与手段１０５０と、合成した画像・動画像データとこれに対応するＱＲコード情報を画像・動画像管理サーバ２０００に送信するための情報送信手段１０６０と、合成した画像・動画像データの全部又は一部をプリントすると共に、当該画像・動画像データに対してユニークに割り振られたＱＲコードも併せてプリントするプリント手段１０７０と、を有している。以下、本発明と特に関連する手段について詳述する。
【００２０】
まず、ユーザー操作判定手段１０１１は、ユーザーがＱＲコードを利用して外部から合成データを取得することを希望しているか否かを判定するＱＲコード読取要否判定手段１０１１を有している。尚、最良形態においては、コイン投入後操作画面上に「ＱＲコードを利用しますか？」という確認画面を出した上で、ＱＲコード読取要否判定手段１０１１が、所定時間内に「Ｙｅｓ」の操作があったことを確認した場合、「ＱＲコード読取要」と判定する。
【００２１】
次に、合成用データ取得手段１０３０は、汎用のＱＲコードリーダー（ＱＲコード読取りカメラ）等から構成されるＱＲコード読取手段１０３１と、当該ＱＲコード読取手段１０３１で読み取った結果取得された情報（例えばＵＲＬ情報）に基づき、インターネットを介して外部にアクセスし、当該情報（例えばＵＲＬ情報に続くＩＤ情報）に対応した合成用データを取得する外部データ取得手段１０３２とを有している。尚、基本的には、ＱＲコードで読み取ったＵＲＬにアクセスすることでデータを取得するが、ＱＲコードそれ自体の情報（例えば、ＱＲコードから読み取られる、プロフィール等のテキスト情報）をそのまま合成データとして利用してもよい。
【００２２】
次に、ＱＲコード付与手段１０５０は、汎用のＱＲコード作成ソフトが利用可能である。尚、作成されるＱＲコードには、例えば、管理用サーバ２０００のＵＲＬ情報と、合成画像・動画像データに対してユニークに割り振られたＩＤ情報が盛り込まれている。
【００２３】
次に、プリント手段１０７０は、前記のように、合成した画像・動画像データの全部又は一部をシールプリントすると共に、当該画像・動画像データに対してユニークに割り振られたＱＲコードも併せてプリントする（図６参照）。このように、当該手段は、ユーザーに対してＱＲコードを提供する「二次元コード提供手段」として機能している。尚、本最良形態では、このような形で二次元コードをユーザーに対して提供するよう構成したが、例えば、プリント中にＱＲコードを表示する代わりに、ディスプレー上に二次元コード（ＱＲコード）を表示したり、或いは、ユーザーにメールアドレスを入力させ、入力されたメールアドレスに二次元コード（ＱＲコード）を送信するように構成してもよい。
【００２４】
次に、画像・動画像管理データ管理サーバ２０００は、インターネットＡを介して外部から情報を受信するデータ受信手段２０１０と、プリント装置１０００からの合成画像・動画像データをこれらに割り振られたユニークなＱＲコードと関連づけて記憶するデータ記憶手段２０３０と、外部からの要求に基づき、データ記憶手段２０３０内に記憶された合成画像・動画像データをインターネットＡを介して外部に供給するか否かを判定し実行するデータ供給判定実行手段２０４０とを有している。
【００２５】
次に、図３及び図４のフローチャートを参照しながら、本最良形態に係るプリントシステムＳの処理を詳述する。まず、図３は、ユーザーがＱＲコードを利用して外部から合成用データの取得を要求した場合における、撮影からプリントアウトまでの処理のフローチャートである。はじめに、Ｓ１１０２で、ユーザー操作判定手段１０１０は、所定金額のコインを投入したか、スタートボタンが押されたか否か等、本プリント装置１０００を起動する条件を充足したか否かを判定する。Ｓ１１０２でＹｅｓの場合、Ｓ１１０４で、プリント装置１０００は、タイマをスタートする。そして、Ｓ１１０６で、ユーザー操作判定手段１０１０は、ディスプレー上に「ＱＲコードを使用しますか？」という確認表示を行う。次に、Ｓ１１０８で、ＱＲコード読取要否判定手段１０１１は、タッチパネルを介してユーザーが「Ｙｅｓ」か「Ｎｏ」のいずれか一方を選択したか否かを判定する。そして、Ｓ１１０８でＹｅｓの場合、Ｓ１１１０で、ＱＲコード読取要否判定手段１０１１は、ユーザーが「Ｙｅｓ」を選択したか否かを判定する。Ｓ１１１０でＹｅｓの場合、即ち、ユーザーがＱＲコードを使用しての外部データ取得をリクエストした場合には、ステップ１０１２で、プリント装置１０００は、ＱＲコード読み取り用タイマをスタートする。次に、Ｓ１０１４で、ＱＲコード読取手段１０３１は、ユーザーが読取機前に提示したＱＲコード表示媒体（例えば、図７に示すような、カード、雑誌、新聞、チラシ等）からＱＲコードの読み取りを実行すると共に、ＱＲコード読み取り要否判定手段１０１１は、ＱＲコードの読み取りが完了したか否かを判定する。Ｓ１１１４でＹｅｓの場合、Ｓ１１１６で、外部データ取得手段１０３２は、ＱＲコードに対応したサーバにアクセスし、当該ＱＲコードに対応した合成用データを取得してセットする。そして、Ｓ１１１８で、プリント装置１０００は、撮影用タイマをスタートする。次に、Ｓ１１２０で、プリント装置１０００（図示しない表示制御手段）は、セットした合成用データを画面（ディスプレー）に表示する。そして、Ｓ１１２２で、ユーザー画像・動画像データ取得手段１０２０は、デジタルカメラ（又はデジタルビデオカメラ）を駆動する。次に、Ｓ１１２４で、画像・動画像合成手段１０４０は、撮影した画像・動画像データと合成用データとを、周知手法で画像合成する。次に、Ｓ１１２６で、プリント装置１０００は、撮影時間が終了したか否かを判定する。Ｓ１１２６でＹｅｓの場合、Ｓ１１２８で、ユーザー画像・動画像データ取得手段１０２０は、デジタルカメラ（又はデジタルビデオカメラ）の駆動を停止する。そして、Ｓ１１３０で、ＱＲコード付与手段１０５０は、生成した当該合成画像・動画像データに対してユニークなＱＲコードを生成すると共に、情報送信手段１０６０は、当該合成画像・動画像データと当該ＱＲコード情報とを、インターネットＡを介して画像・動画像データ管理サーバ２０００に送信する。これを受け、画像・動画像データ管理サーバ２０００側では、当該合成画像・動画像データを当該ＱＲコード情報と関連づけた形で記憶する処理を行なう。次に、ステップ１１３２で、プリント手段１０７０は、前記合成画像の全部又は一部（例えば、複数の撮影画像の中からユーザーに所定数選択させる）プリントすると共に、Ｓ１１３０で生成したＱＲコードも併せてプリントする（図６参照）。
【００２６】
他方、Ｓ１１０８でＮｏの場合、Ｓ１１３４で、プリント装置１０００は、タイムアップしたか否かを判定する。Ｓ１１３４でＹｅｓの場合にはＳ１１３８に移行し、Ｓ１１３４でＮｏの場合にはＳ１１０８に移行する。また、Ｓ１１１４でＮｏの場合には、Ｓ１１３６で、プリント装置１０００は、タイムアップしたか否かを判定する。ここで、Ｓ１１３６でＹｅｓの場合、Ｓ１１３８で、プリント装置１０００は、所定の合成用データ（例えばデフォルトの背景画像データ）をセットし、Ｓ１１１８に移行する。また、Ｓ１１３６でＮｏの場合にはＳ１１１４に移行する。更に、Ｓ１１０２及びＳ１１２６でＮｏの場合には、これらを充足するまでループする。
【００２７】
次に、図４のフローチャートを参照しながら、画像・動画像データ管理サーバ２０００側での処理を説明する。まず、Ｓ２１０２で、データ供給判定実行手段２０４０は、データ受信手段２０１０を参照し、インターネットＡを介してＱＲコードに係る情報を受信したか否かを判定する。Ｓ２１０２でＹｅｓの場合、Ｓ２１０４で、データ供給判定実行手段２０４０は、データ記憶手段２０３０を参照し、前記受信情報（特にＩＤ情報）に対応した画像・動画像が存在するか否かを判定する。Ｓ２１０４でＹｅｓの場合、Ｓ２１０６で、データ供給判定実行手段２０４０は、ＱＲコードに係る情報の送信元に、当該ＱＲコードに対応する画像・動画像データを送信する。他方、Ｓ２１０４でＮｏの場合、Ｓ２１０８で、データ供給判定実行手段２０４０は、ＱＲコードに係る情報の送信元に、当該ＱＲコードに対応する画像・動画像データが存在しない旨を送信する。尚、Ｓ２１０２でＮｏの場合には、これを充足するまでループする。
【００２８】
次に、図５を参照しながら、本最良形態に係るプリントシステムＳの作用について説明する。まず、ユーザーは、プリント装置１０００内に入る。この際、ユーザーは、外部ＱＲコードの付されたものを持ち込む。ここで、図７に、外部ＱＲコードの一例を示す。まず、図７（ａ）がカードの裏に表示されたＱＲコードであり、図７（ｂ）が雑誌に表示されたＱＲコードであり、図７（ｃ）がチラシに表示されたＱＲコードである。更に、外部ＱＲコードは、これらの媒体上のＱＲコードを携帯電話のカメラで撮影したもの｛例えば図８（ａ）｝であってもよい。
【００２９】
そして、ユーザーは、プリント装置１０００内に設置されたＱＲコード読取手段１０３１（ＱＲコード読取用カメラ）の前に、外部ＱＲコードをあてがう。これを受け、プリント装置１０００は、このようにしてあてがわれた外部ＱＲコードを読取り、当該コードに対応したデータ（静止画像、動画像等）を取得する。そして、当該データが、ディスプレー上に表示される。
【００３０】
次に、ユーザーの静止画又は動画撮影が始まり、撮影された内容と外部から取得した合成用データ（静止画像、動画像等）とがリアルタイムに合成され、当該合成されたものがディスプレー上にリアルタイムに表示される。そして、所定時間、当該撮影が継続する。
【００３１】
前記所定時間が経過した後、当該撮影が終了し、プリント手段（プリンタ）１０７０からシールプリントが出力される。ここで、図６にシールプリント例を示す。図６に示すように、ユーザーが予め指定した複数の合成画像（又は自動的にピックアップした複数の合成画像）がプリントされていることに加え、最下欄にＱＲコードがプリントされる。また、プリント装置１０００は、当該出力と共に、当該合成画像又は動画像データとＱＲコード情報を、画像・動画像データ管理サーバ２０００に送信する。これを受信した画像・動画像データ管理サーバ２０００は、ＱＲコード情報（特にＩＤ情報）と関連づけた形で、当該合成画像又は動画像データを記憶する。
【００３２】
そして、図８（ａ）に示すように、このＱＲコードを携帯電話（ＱＲコード読込機能のついたカメラ付携帯電話）のカメラで撮影し読み取ることにより、所定の文字情報（ＵＲＬ情報＋ＩＤ情報）が取得できる。そして、インターネットＡに接続してこの文字情報（ＵＲＬ情報）に対応するサーバ（画像・動画像データ管理サーバ２０００）にアクセスすると、当該文字情報（ＩＤ情報）に対応するデータ（画像データ、動画像データ等）が携帯電話に送信される。そして、図８（ｂ）に示すように、携帯電話の画面上に、送信されたデータが表示される。
【００３３】
尚、このようにインターネットと接続したサーバ上に合成画像又は動画像データを記憶することにより、インターネット上での各種イベント（例えば、ダンスコンテスト、ペットコンテスト、人気投票コンテスト等）が可能となる。
【図面の簡単な説明】
【００３４】
【図１】図１は、本最良形態に係るプリントシステムの概要の一例である。
【図２】図２は、本最良形態に係るプリント装置及び画像・動画像データ管理サーバの機能ブロック図の一例である。
【図３】図３は、本最良形態に係るプリント装置側で実行する処理のフローチャートの一例である。
【図４】図４は、本最良形態に係る画像・動画像データ管理サーバ側で実行する処理のフローチャートの一例である。
【図５】図５は、本最良形態に係るプリント装置における概要の一例である。
【図６】図６は、本最良形態に係るプリント装置から出力されるシールプリントの一例である。
【図７】図７は、本最良形態に係る外部ＱＲコード表示媒体の一例である。
【図８】図８は、本最良形態に係るプリントシステムを利用しての、携帯電話での表示例である。
【符号の説明】
【００３５】
１０２０  ユーザー画像・動画像データ取得手段
１０３１  ＱＲコード読取手段
１０３２  外部データ取得手段
１０４０  画像・動画像合成手段
１０５０  ＱＲコード付与手段
１０７０  プリント手段
２０３０  データ記憶手段
２０４０  データ供給判定実行手段
【図１】
2008042700.tif 000003
【図２】
2008042700.tif 000004
【図３】
2008042700.tif 000005
【図４】
2008042700.tif 000006
【図５】
2008042700.tif 000007
【図６】
2008042700.tif 000008
【図７】
2008042700.tif 000009
【図８】
2008042700.tif 000010